(57)【要約】【課題】光が照射された化粧板の外観イメージを生成し、表示する、化粧板の選択支援装置、選択支援方法を提供する。【解決手段】選択支援装置１０は、化粧板の外観イメージを提示する化粧板の選択支援装置である。選択支援装置１０は、情報取得手段１２０、反射率分布算出手段１４０、表示データ生成手段１６０、および表示手段１８０を備える。情報取得手段１２０は、化粧板の色及び表面形状を示す化粧板情報を取得する。反射率分布算出手段１４０は、情報取得手段１２０で取得された化粧板情報に基づき化粧板の反射率分布を算出する。表示データ生成手段１６０は、反射率分布を用いて、少なくとも一つの光源から光が照射された化粧板の外観を含む少なくとも一つの視点から見たシミュレーション画像を表示させるための表示データを生成する。表示手段１８０は、シミュレーション画像を表示する。【選択図】図１
2016212664.tif 000002
【特許請求の範囲】
【請求項１】
化粧板の外観イメージを提示する化粧板の選択支援装置であって、
前記化粧板の色及び表面形状を示す化粧板情報を取得する情報取得手段と
前記情報取得手段で取得された前記化粧板情報に基づき前記化粧板の反射率分布を算出する反射率分布算出手段と、
前記反射率分布を用いて、少なくとも一つの光源から光が照射された前記化粧板の外観を含む少なくとも一つの視点から見たシミュレーション画像を表示させるための表示データを生成する、表示データ生成手段と、
前記シミュレーション画像を表示する表示手段と、
を備える、
選択支援装置。
【請求項２】
請求項１に記載の選択支援装置において、
前記表示データ生成手段は、前記シミュレーション画像として三次元画像を前記表示手段に表示させるための前記表示データを生成する、
選択支援装置。
【請求項３】
請求項１または２に記載の選択支援装置において、
前記表示データ生成手段では、互いに異なる視点から見た複数の前記シミュレーション画像の前記表示データを生成する
選択支援装置。
【請求項４】
請求項１から３のいずれか一項に記載の選択支援装置において、
前記情報取得手段は、前記化粧板が配置される空間に配置される物体の位置を示す情報を含む物体情報を取得し、
前記表示データ生成手段は、前記物体情報に基づいて、前記表示データを生成する、
選択支援装置。
【請求項５】
請求項１から４のいずれか一項に記載の選択支援装置において、
前記情報取得手段は、前記化粧板が配置される空間に配置される前記光源の位置を示す情報を含む光源情報を取得し、
前記表示データ生成手段は、前記光源情報に基づき、前記表示データを生成する、
選択支援装置。
【請求項６】
請求項１から５のいずれか一項に記載の選択支援装置において、
前記表示データ生成手段は、前記表示手段の表示色域に基づいて定められた変換情報を用いて、赤の輝度Ｒ、緑の輝度Ｇおよび青の輝度Ｂを示す情報を含む前記表示データを生成する、
選択支援装置。
【請求項７】
請求項１から６のいずれか一項に記載の選択支援装置において、
当該選択支援装置は携帯端末装置を含んで構成され、
前記表示手段は、当該携帯端末装置のモニターである、
選択支援装置。
【請求項８】
化粧板の外観イメージを提示する化粧板の選択支援方法であって、
前記化粧板の色及び表面形状を示す化粧板情報を取得する情報取得工程と
前記情報取得工程で取得された前記化粧板情報に基づき前記化粧板の反射率分布を算出する反射率分布算出工程と、
前記反射率分布を用いて、少なくとも一つの光源から光が照射された前記化粧板の外観を含む少なくとも一つの視点から見たシミュレーション画像を表示させるための表示データを生成する、表示データ生成工程と、
前記シミュレーション画像を表示する表示工程と、
を含む、
選択支援方法。
【請求項９】
化粧板の外観イメージを提示する化粧板の選択支援装置を実現するためのコンピュータプログラムであって、
コンピュータを、
前記化粧板の色及び表面形状を示す化粧板情報を取得する情報取得手段、
前記情報取得手段で取得された前記化粧板情報に基づき前記化粧板の反射率分布を算出する反射率分布算出手段、
前記反射率分布を用いて、少なくとも一つの光源から光が照射された前記化粧板の外観を含む少なくとも一つの視点から見たシミュレーション画像を表示させるための表示データを生成する、表示データ生成手段、および
前記シミュレーション画像を表示する表示手段、
として機能させる、
コンピュータプログラム。
【発明の詳細な説明】
【技術分野】
【０００１】
本発明は化粧板の選択支援装置、選択支援方法、およびコンピュータプログラムに関する。
【背景技術】
【０００２】
デザイン性が求められる化粧板の選択において、実物を見てデザインの善し悪しを判断するためには、多くのサンプルが必要になる。そこで、モニター画面で候補とする化粧板の見栄えや質感を精度良く再現することができれば、サンプルを準備する必要なく、選択をすることができる。
【０００３】
特許文献１には、選定された内装部材について特性情報をデータベースから読み出し、読み出した特性情報を三次元内装空間画像に貼り付けてレンダリング処理することで内装空間をシミュレートする方法が記載されている。
【先行技術文献】
【特許文献】
【０００４】
【特許文献１】特開２００４−２０６５５１号公報
【発明の概要】
【発明が解決しようとする課題】
【０００５】
化粧板を配置しようとする空間におけるデザインのイメージを再現性良く提示するためには、その配置における光の当たり具合、反射具合を含めて化粧板の種類毎にシミュレーションする必要がある。
【０００６】
しかし、特許文献１のような方法では、特性情報を内装部材の種類毎に準備して、データベースに記憶させておく必要があった。そのため、化粧板等の内装部材の選択肢が多くなると、特性情報を準備する労力が非常に大きくなると共に、データ量が大きくなり、記憶容量を多く占有するという問題があった。
【０００７】
本発明は、光が照射された化粧板の外観イメージを生成し、表示する、化粧板の選択支援装置、選択支援方法を提供する。
【課題を解決するための手段】
【０００８】
本発明によれば、
化粧板の外観イメージを提示する化粧板の選択支援装置であって、
前記化粧板の色及び表面形状を示す化粧板情報を取得する情報取得手段と
前記情報取得手段で取得された前記化粧板情報に基づき前記化粧板の反射率分布を算出する反射率分布算出手段と、
前記反射率分布を用いて、少なくとも一つの光源から光が照射された前記化粧板の外観を含む少なくとも一つの視点から見たシミュレーション画像を表示させるための表示データを生成する、表示データ生成手段と、
前記シミュレーション画像を表示する表示手段と、
を備える、
選択支援装置
が提供される。
【０００９】
本発明によれば、
化粧板の外観イメージを提示する化粧板の選択支援方法であって、
前記化粧板の色及び表面形状を示す化粧板情報を取得する情報取得工程と
前記情報取得工程で取得された前記化粧板情報に基づき前記化粧板の反射率分布を算出する反射率分布算出工程と、
前記反射率分布を用いて、少なくとも一つの光源から光が照射された前記化粧板の外観を含む少なくとも一つの視点から見たシミュレーション画像を表示させるための表示データを生成する、表示データ生成工程と、
前記シミュレーション画像を表示する表示工程と、
を含む、
選択支援方法
が提供される。
【００１０】
本発明によれば、
化粧板の外観イメージを提示する化粧板の選択支援装置を実現するためのコンピュータプログラムであって、
コンピュータを、
前記化粧板の色及び表面形状を示す化粧板情報を取得する情報取得手段、
前記情報取得手段で取得された前記化粧板情報に基づき前記化粧板の反射率分布を算出する反射率分布算出手段、
前記反射率分布を用いて、少なくとも一つの光源から光が照射された前記化粧板の外観を含む少なくとも一つの視点から見たシミュレーション画像を表示させるための表示データを生成する、表示データ生成手段、および
前記シミュレーション画像を表示する表示手段、
として機能させる、
コンピュータプログラム
が提供される。
【発明の効果】
【００１１】
本発明によれば、本発明は、光が照射された化粧板の外観イメージを生成し、表示する、化粧板の選択支援装置、選択支援方法を提供できる。
【図面の簡単な説明】
【００１２】
【図１】第１の実施形態に係る選択支援装置の構成を示すブロック図である。
【図２】第１の実施形態に係る表示データ生成手段の構成を示すブロック図である。
【図３】第１の実施形態に係る選択支援装置の動作例を示すフローチャートである。
【図４】化粧板の色および表面形状の選択肢を提示する際に表示されるダイアグラムの一例である。
【図５】色度（ｘ，ｙ）とその色度に対応する色の関係を示した色度図のイメージ図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
なお、以下に示す説明において、選択支援装置１０の情報取得手段１２０、反射率分布算出手段１４０、表示データ生成手段１６０、解析部１６２、ＲＧＢデータ生成部１６４、表示手段１８０、および記憶手段２００は、ハードウエア単位の構成ではなく、機能単位のブロックを示している。選択支援装置１０の情報取得手段１２０、反射率分布算出手段１４０、表示データ生成手段１６０、解析部１６２、ＲＧＢデータ生成部１６４、表示手段１８０、および記憶手段２００は、任意のコンピュータのＣＰＵ、メモリ、メモリにロードされた本図の構成要素を実現するプログラム、そのプログラムを格納するハードディスクなどの記憶メディア、ネットワーク接続用インタフェースを中心にハードウエアとソフトウエアの任意の組合せによって実現される。そして、その実現方法、装置には様々な変形例がある。
【００１５】
（第１の実施形態）
図１は、本実施形態に係る選択支援装置１０の構成を示すブロック図である。選択支援装置１０は、化粧板の外観イメージを提示する化粧板の選択支援装置である。選択支援装置１０は、情報取得手段１２０、反射率分布算出手段１４０、表示データ生成手段１６０、および表示手段１８０を備える。情報取得手段１２０は、化粧板の色及び表面形状を示す化粧板情報を取得する。反射率分布算出手段１４０は、情報取得手段１２０で取得された化粧板情報に基づき化粧板の反射率分布を算出する。表示データ生成手段１６０は、反射率分布を用いて、少なくとも一つの光源から光が照射された化粧板の外観を含む少なくとも一つの視点から見たシミュレーション画像を表示させるための表示データを生成する。表示手段１８０は、シミュレーション画像を表示する。以下に詳細を説明する。
【００１６】
選択支援装置１０は、たとえばコンピュータと表示部としてのモニター画面とを組み合わせた装置であり得る。また、選択支援装置１０は、たとえばタブレット端末等の携帯端末装置を含んで構成され、表示手段１８０は、携帯端末装置のモニターであり得る。また、選択支援装置１０は、携帯端末装置であり得る。
【００１７】
選択支援装置１０は、表示手段１８０に光が照射された化粧板の外観を含むシミュレーション画像を、化粧板の外観イメージとして提示する。シミュレーション画像は、たとえば、ある室内の壁紙として化粧板が設置され、照明光もしくは室外からの太陽光等が室内を照らしている状態の画像である。この外観イメージを確認することで、ユーザーは実物を見る必要なく、施工後の外観を確認し、適宜、複数の化粧板のイメージを比較して、実際にどの化粧板を採用するかを決定することができる。シミュレーション画像においては、たとえば、化粧板に移り込む光の様子や、光が照射されたときの色合いなどが再現される。
【００１８】
化粧板は、たとえば内装用の壁紙や、外壁材、家具などの物品の表面部材であり得る。化粧板の表面はたとえば樹脂材料、紙、木材、金属などであり得る。中でも、当該表面が樹脂材料または金属である場合、光の照射具合による見え方の変化が大きいため、選択支援装置１０の使用がより有益である。また、当該表面が樹脂材料である場合、複雑な表面形状を形成できるため、化粧板の選択肢が多くなる。そのため、選択支援装置１０の使用がより有益である。化粧板は、少なくとも特定の色と表面形状とで定義される。たとえば、化粧板の表面は平坦、または周期的な凹凸パターンを有する。
【００１９】
選択支援装置１０の各部の処理内容について説明する。情報取得手段１２０は、化粧板情報を取得する。化粧板情報は化粧板の色および表面形状を示す情報を少なくとも含む。たとえば表示手段１８０に化粧板の色および表面形状の候補がそれぞれ複数表示され、ユーザーがシミュレーション画像を確認したい色および表面形状の組み合わせを選択して、情報取得手段１２０に入力することによって、化粧板情報が情報取得手段１２０に取得される。ここで、色や表面形状の候補の表示は文字、記号、写真等であり得る。また、色の候補と表面形状の候補とは別々に表示されて選択されても良いし、特定の色および表面形状が組み合わされた複数の候補が表示されて一度に選択されても良い。また、情報取得手段１２０は、化粧板情報として化粧板の材質を同様に取得するようにしても良い。
【００２０】
選択支援装置１０はさらに記憶手段２００を備え、あらかじめ記憶手段２００に保持された上記候補を示すデータが読み出されて表示手段１８０に表示されるよう、構成される。なお、記憶手段２００は、ネットワーク上のサーバ等であってもよい。
【００２１】
反射率分布算出手段１４０は、情報取得手段１２０で取得された化粧板情報に基づき、化粧板の反射率分布を算出する。
【００２２】
ここで、記憶手段２００には、あらかじめ、各色に対応する反射率分布Ｒ０（λ）および各表面形状に対応する２つの固有パラメータｋ（θ，φ，ψ）およびＡ（θ，φ，ψ）を示す情報が記憶されている。ここで、λは光の波長、θは入射角、φは反射角（受光角）、ψは仰角を示す。
【００２３】
反射率分布算出手段１４０は、化粧板情報が示す色に対応する反射率分布Ｒ０（λ）および、化粧板情報が示す表面形状に対応する固有パラメータｋ（θ，φ，ψ）および固有パラメータＡ（θ，φ，ψ）を記憶手段２００から読み出す。そして、当該色および表面形状を有する化粧板の反射率分布Ｒｄ（λ，θ，φ，ψ）を、Ｒｄ（λ，θ，φ，ψ）＝ｋ（θ，φ，ψ）Ｒ０（λ）＋Ａ（θ，φ，ψ）の関係を用いて算出する。反射率分布Ｒｄ（λ，θ，φ，ψ）は、特定の波長λ、入射角θ、反射角φ、および仰角ψの組み合わせに対する反射率の分布を示す。
【００２４】
反射率分布Ｒ０（λ）は、入射角０°、反射角４５°、仰角０°としたときの波長λに対する反射率の分布を示す。反射率分布Ｒ０（λ）は、各色の平坦なサンプルに対して入射角０°、反射角４５°、仰角０°の条件で測定して得られ、記憶手段２００に記憶させておくことができる。
【００２５】
固有パラメータｋ（θ，φ，ψ）および固有パラメータＡ（θ，φ，ψ）は、それぞれ入射角θ、反射角φ、仰角ψに依存する。固有パラメータｋ（θ，φ，ψ）および固有パラメータＡ（θ，φ，ψ）は、以下の様にして得られ、記憶手段２００に記憶させておくことができる。まず、固有パラメータを取得したい表面形状を有する一つの化粧板について、波長λ、入射角θ、反射角φ、仰角ψを変化させて反射率を測定し、反射率分布Ｒｄ（λ，θ，φ，ψ）を得る。ここで、当該化粧板の色は任意の１つの色で測定を行えばよい。そして、反射率分布Ｒｄ（λ，θ，φ，ψ）と、同色の平坦なサンプルについて上述の様に得られた反射率分布Ｒ０（λ）との関係についてフィッティングを行い、Ｒｄ（λ，θ，φ，ψ）＝ｋ（θ，φ，ψ）Ｒ０（λ）＋Ａ（θ，φ，ψ）の関係を満たす固有パラメータｋ（θ，φ，ψ）および固有パラメータＡ（θ，φ，ψ）を求める。
【００２６】
Ｒｄ（λ，θ，φ，ψ）の測定は、たとえば変角分光測色システム（村上色彩技術研究所製、ＧＣＭＳ−４）を用いて行うことができる。測定は、たとえば、拡散反射率として５５２条件、鏡面反射率として１６条件について行う。
【００２７】
この様に、固有パラメータｋ（θ，φ，ψ）および固有パラメータＡ（θ，φ，ψ）は、１つの色のサンプルについて行った測定結果に基づいて得られ、他の色に対しても用いることができる。そのため、各表面形状につき、一色のサンプルでのみ、Ｒｄ（λ，θ，φ，ψ）の測定を行えばよい。また、各色につき、平坦なサンプルで入反射角等を固定したＲ０（λ）の測定を行うのみでよい。全ての色と表面形状との組み合わせで、サンプルの測定を行わなくても良いため、シミュレーション画像の生成に用いるために記憶手段２００に保持させるデータの事前準備が容易である。また、全ての色と表面形状との組み合わせ毎に、反射率分布等を記憶させておく必要が無いため、記憶手段２００に保持させるデータ量を低減することができる。ひいては、記憶容量が少ない携帯端末装置等を用いても選択支援装置１０を構成することが可能となる。
【００２８】
なお、反射率分布算出手段１４０で算出される反射率分布Ｒｄ（λ，θ，φ，ψ）は、化粧板の特定位置の微視的な凹凸に対応させたものではなく、シミュレーション画像は、化粧板の見え方を、ある程度離れた距離から巨視的に見た一様な面として再現する。
【００２９】
図２は、本実施形態に係る表示データ生成手段１６０の構成を示すブロック図である。表示データはたとえば表示手段１８０に画像を表示させるためのＲＢＧ値を示したテーブルであり得る。表示データ生成手段１６０は、解析部１６２およびＲＧＢデータ生成部１６４を備える。解析部１６２は、たとえば、あらかじめ準備された空間の特定の位置に、選択された色および表面形状の化粧板を配置した状態について、ある一つの視点から見た画像を構成する各点の刺激値Ｘ、Ｙ、およびＺを算出する。解析部１６２は、反射率分布算出手段１４０で得られた反射率分布Ｒｄ（λ，θ，φ，ψ）、光源の配光データ、および物体データに基づき、一つのシーン（場面、空間デザイン）について、刺激値Ｘ、Ｙ、およびＺを算出する。物体データは、たとえば、シミュレーションしようとする空間に配置される物体の外形、位置および反射特性を示す情報を含む。ここで、物体とは、解析部１６２で解析しようとする空間に配置された物体であり、光線を反射し得る物体である。物体は、具体的にはたとえば、部屋の壁、床、天井や、部屋に配置された物品である。物体データはたとえば部屋の形状や物品の形状を示すＣＡＤデータや物体の各表面の反射スペクトルを示すテーブルや数式を含み得る。当該シーンでは、たとえば部屋の壁の少なくとも一部分に化粧板が配置され、化粧板の反射率として反射率分布Ｒｄ（λ，θ，φ，ψ）が用いられる。
【００３０】
刺激値Ｘ、ＹおよびＺは、物体表面の色の度合いを表す値である。刺激値Ｘ、Ｙ、およびＺは、たとえば光線追跡法により算出することができる。
【００３１】
本実施形態で用いる光線追跡法では、光源から発射させた複数の光線について、空間内の物体のモデルとの交錯が計算される（正方向モンテカルロ光線追跡）。モデルと交錯した光線は、表面反射率を考慮して確率論的に反射され、空間内に拡散される。そして、空間内の各座標の光線の分布（フォトンマップ）が計算される。次いで、作成されたフォトンマップを使って、視点から光線の追跡を行う（逆方向光線追跡）。その際、視線が交錯を起こした物体表面の色の度合いは、その交錯点の近傍にある光線の分布、物体表面の反射率、目の感度特性によって決定される。物体のモデルとの交錯位置、および表面反射率は、物体データおよび反射率分布Ｒｄ（λ，θ，φ，ψ）に基づき特定される。
【００３２】
解析部１６２は、反射率分布Ｒｄ（λ，θ，φ，ψ）を反射率分布算出手段１４０から取得する。光源の配光データ、物体データ、および光源や物体の位置を示す情報は、あらかじめ記憶手段２００に保持されており、解析部１６２がそれらを読み出して取得できる。光源は、たとえば部屋に配置された照明でもよいし、部屋の窓などから入射する太陽光等でもよい。配光データは光源が発する光の方向、強さ、および波長の分布を示すグラフやテーブル、または数式等であり得る。配光データはたとえば照明メーカーが公表したものを用いることができる。また、太陽光についてはＩＥＣ規格の基準太陽光の特性を用いることができる。シーンに配置される光源は１つでも良いし、２つ以上でも良い。視点の位置および方向は、空間の内あらかじめ定められた一つの点および方向であっても良い。もしくは、空間の内、ユーザーが任意に指定した一つの点および方向であっても良いし、ユーザーが複数の選択肢の中から選択した一つの点および方向であっても良い。また、シーンに配置される物体は１つでも良いし、２つ以上でも良い。
【００３３】
ＲＧＢデータ生成部１６４は、解析部１６２から刺激値Ｘ、ＹおよびＺを取得する。また、ＲＧＢデータ生成部１６４は記憶手段２００から、変換情報としてあらかじめ記憶された変換式を取得する。そして、ＲＧＢデータ生成部１６４は、変換式を用いて刺激値Ｘ、ＹおよびＺを、画像を生成するための値であるＲ、Ｇ、およびＢの値（ＲＧＢ値）に変換する。そうして、Ｒ、Ｇ、およびＢの値を示すＲＧＢデータを含む表示データを生成する。表示手段１８０では赤、緑、青の３色を組み合わせて色が表示される。Ｒ、Ｇ、およびＢの値はそれぞれ、赤の輝度Ｒ、緑の輝度Ｇおよび青の輝度Ｂを示す情報であり、表示手段１８０における各画素の赤、緑、青の階調を表している。表示手段１８０では、それぞれ、８ｂｉｔ分（０〜２５５）、計２４ｂｉｔ分の色を割り振ることができる。
【００３４】
刺激値Ｘ、ＹおよびＺから、Ｒ、Ｇ、およびＢの値への変換の具体的な変換方法の例を以下に説明する。ただし、以下の方法に限定されない。
【００３５】
刺激値（Ｘ，Ｙ，Ｚ）とＲＧＢ値（Ｒ，Ｇ，Ｂ）とは、以下の式（１）のような変換式を用いて変換できる。ここで、ｒ点（Ｒ，Ｇ，Ｂ）＝（２５５，０，０）において（Ｘ，Ｙ，Ｚ）＝（Ｘｒ，Ｙｒ，Ｚｒ）、ｇ点（Ｒ，Ｇ，Ｂ）＝（０，２５５，０）において（Ｘ，Ｙ，Ｚ）＝（Ｘｇ，Ｙｇ，Ｚｇ）、ｂ点（Ｒ，Ｇ，Ｂ）＝（０，０，２５５）において（Ｘ，Ｙ，Ｚ）＝（Ｘｂ，Ｙｂ，Ｚｂ）が成り立つ。この様にして、ＲＧＢデータ生成部１６４は各画素のＲ、Ｇ、およびＢの値からなる表示データを生成する。なお、変換情報は数式に限定されず、たとえば刺激値Ｘ、ＹおよびＺと、Ｒ、Ｇ、およびＢの値との関係を示すテーブルであっても良い。
【００３６】
【数１】
2016212664.tif 000003
【００３７】
表示手段１８０は、表示データ生成手段１６０から取得した表示データに基づき、シミュレーション画像を表示する。
【００３８】
なお、表示手段１８０には、別のシミュレーション画像を表示させるためのメニューアイコンや、表示形態を変更させるアイコン等が、シミュレーション画像に合わせて表示されても良い。
【００３９】
たとえば、化粧板の種類や物品等が互いに異なるいくつかのシーンについて順に複数の表示データが生成され、それら複数の表示データによる画像が合わせて表示手段１８０に表示されてもよい。複数の画像を並べて比較することで、化粧板の選択をより容易にすることができる。
【００４０】
図３は、本実施形態に係る選択支援装置１０の動作例を示すフローチャートである。本実施形態に係る選択支援方法は、選択支援装置１０のような少なくとも一つのコンピュータにより実行される。情報取得工程Ｓ１２０、反射率分布算出工程Ｓ１４０、表示データ生成工程Ｓ１６０、および表示工程Ｓ１８０を含む。情報取得工程Ｓ１２０では、化粧板の色及び表面形状を示す化粧板情報が取得される。反射率分布算出工程Ｓ１４０では、情報取得工程Ｓ１２０で取得された化粧板情報に基づき化粧板の反射率分布が算出される。表示データ生成工程Ｓ１６０では、反射率分布を用いて、少なくとも一つの光源から光が照射された前記化粧板の外観を含む少なくとも一つの視点から見たシミュレーション画像を表示させるための表示データが生成される。表示工程Ｓ１８０では、シミュレーション画像が表示される。
【００４１】
選択支援装置１０がたとえばタッチパネル式のモニター画面を備える携帯端末装置である場合、当該モニター画面に色および表面形状の選択肢を示すアイコンを表示させ、ユーザーがシミュレーション画像を確認したい色および表面形状に対応するアイコンを選択操作し、その選択操作に基づいて情報取得手段１２０が化粧板情報を取得することができる。情報取得手段１２０が取得した化粧板情報に基づいて、選択支援装置１０の表示手段１８０にはシミュレーション画像が表示される。
【００４２】
なお、シミュレーション画像を表示させるシーンについて、複数の選択肢を記憶手段２００に保持しておき、表示手段１８０に表示された選択肢の中からユーザーが選択できるようにしてもよい。
【００４３】
なお、上記の様に生成したシミュレーション画像の表示データは、記憶手段２００に保存しておき、必要に応じて読み出して表示手段１８０に表示させるようにしても良い。
【００４４】
なお、化粧板の色および表面形状の選択肢を提示する際には、互いに近い色や表面形状の選択肢をカテゴライズして並べて表示するようにしてもよい。そうすることにより、化粧板の選択をより容易にすることができる。
【００４５】
なお、化粧板の色および表面形状の選択肢を提示する際には、たとえば図４に示す様な、各化粧板の外観のイメージについてのダイアグラムやチャート等を表示してもよい。そうすることにより、外観の傾向を把握して化粧板の選択をより容易にすることができる。本図中、黒丸が選択肢のアイコンに相当する。
【００４６】
次に、本実施形態の作用および効果について説明する。
本実施形態に係る選択支援装置１０および選択支援方法によれば、化粧板を配置した空間について、施工後の外観イメージを確認することができ、複数種類の化粧板から採用するものを選択する助けとなる。
【００４７】
また、本実施形態によれば、全ての色と表面形状との組み合わせ毎に、反射率分布をあらかじめ記憶させておく必要が無いため、記憶手段２００に保持させるデータ量を低減することができる。ひいては、記憶容量が少ない携帯端末装置等を用いても選択支援装置１０を構成することが可能となる。
【００４８】
また、事前に全ての色と表面形状との組み合わせで、サンプルの作製および測定を行わなくても良いため、シミュレーション画像の生成に用いるために記憶手段２００に保持させるデータの事前準備が容易である。
【００４９】
（第２の実施形態）
第２の実施形態に係る選択支援装置１０および選択支援方法は、以下に説明する点を除き、第１の実施形態に係る選択支援装置１０および選択支援方法と同じである。
【００５０】
第２の実施形態に係る情報取得手段１２０は、化粧板が配置される空間に配置される物体の位置を示す情報を含む物体情報を取得する。そして、表示データ生成手段１６０は、前記物体情報に基づき、表示データを生成する。
【００５１】
また、本実施形態に係る情報取得手段１２０は、化粧板が配置される空間に配置される光源の位置を示す情報を含む光源情報を取得する。そして、表示データ生成手段１６０は、光源情報に基づき、表示データを生成する。
【００５２】
また、本実施形態に係る表示データ生成手段１６０は、表示手段１８０の表示色域に基づいて定められた変換情報を用いて、赤の輝度Ｒ、緑の輝度Ｇおよび青の輝度Ｂを示す情報を含む表示データを生成する。以下に詳細を説明する。
【００５３】
本実施形態に係る選択支援装置１０の各部の処理内容について以下に説明する。情報取得手段１２０は、化粧板情報に加えて物体情報および光源情報を取得する。物体情報は、たとえば、化粧板の外観イメージを確認しようとするシーンに化粧板と共に配置される家具等の物品の種類、および、化粧板が配置される部屋の形状、物品が配置される位置示す情報を含む。光源情報は、当該シーンに配置される光源の種類および光源が配置される位置を示す情報を含む。光源はたとえば照明や太陽光であり得る。
【００５４】
たとえば表示手段１８０に部屋の形状、物品の種類、および光源の種類の候補がそれぞれ複数表示され、ユーザーが外観を確認したいシーンに応じた部屋の形状、物品、および光源の組み合わせを選択して、情報取得手段１２０に入力することによって、物体情報が情報取得手段１２０に取得される。ここで、部屋、物品および光源の候補の表示は文字、記号、写真等であり得る。また、部屋の候補、物品の候補、および光源の候補はそれぞれ別々に表示されて選択されても良いし、特定の部屋、物品、および光源が組み合わされた複数の候補が表示されて一度に選択されても良い。あらかじめ記憶手段２００に保持された上記候補を示すデータが読み出されて表示手段１８０に表示されるよう構成できる。さらに、物品や光源を配置する位置、化粧板を配置する位置が、ユーザーによって上記と同様に選択、または任意に指定される。位置の指定は、たとえば表示手段１８０に表示された部屋の平面図や風景図の内、配置したい位置をユーザーが選択することによって行うことができる。
【００５５】
反射率分布算出手段１４０は、第１の実施形態と同様に情報取得手段１２０で取得された化粧板情報に基づき、化粧板の反射率分布を算出する。
【００５６】
解析部１６２は、第１の実施形態と同様に、反射率分布算出手段１４０で得られた反射率分布Ｒｄ（λ，θ，φ，ψ）、光源の配光データ、および物体データに基づき、ある一つの視点での刺激値Ｘ、Ｙ、およびＺを算出する。
【００５７】
解析部１６２は、反射率分布Ｒｄ（λ，θ，φ，ψ）を反射率分布算出手段１４０から取得する。光源の配光データおよび物体データは、あらかじめ記憶手段２００に保持されており、情報取得手段１２０が取得した光源情報および物体情報に対応する配光データおよび物体データを、解析部１６２が記憶手段２００から読み出して取得する。
【００５８】
ＲＧＢデータ生成部１６４は、解析部１６２から刺激値Ｘ、ＹおよびＺを取得し、Ｒ、Ｇ、およびＢの値の値に変換する。ここで用いられる変換式は、表示手段１８０の表示特性に合わせて定められ、記憶手段２００に保持されたものである。
【００５９】
刺激値Ｘ、Ｙ、およびＺと、Ｒ、Ｇ、およびＢの値との最適な換算式は、表示手段１８０に依存して異なる。用いる表示手段１８０が異なれば、表示可能な表示色域や最大輝度、画像の階調の応答特性（γ値）等の表示特性も異なるからである。
【００６０】
表示手段１８０の表示特性に合わせて刺激値Ｘ、ＹおよびＺから、Ｒ、Ｇ、およびＢの値への変換を行うことで、施工後の外観に近い色合いを再現性良く表示することができる。複数種類の表示手段１８０を用いる可能性がある場合には、表示手段１８０に合わせて、複数の変換式をあらかじめ記憶手段２００に記憶させておき、適宜切り替えられるようにしてもよい。
【００６１】
刺激値Ｘ、ＹおよびＺから、Ｒ、Ｇ、およびＢの値への変換式の表示手段１８０の表示特性に合わせて決定する方法の例を以下に説明する。ただし、以下の方法に限定されない。第２の実施形態に係る変換式は、表示手段１８０の表示色域、最大輝度、γ値を測定して求められる。まず、表示色域は、表示手段１８０に、（Ｒ，Ｇ，Ｂ）が（２５５，０，０）、（０，２５５，０）、（０，０，２５５）の３色の画像を表示させ、各画像の色度（ｘｒ，ｙｒ）、（ｘｇ，ｙｇ）、（ｘｂ，ｙｂ）を分光測色計を用いて測定する。図５は、色度（ｘ，ｙ）とその色度に対応する色の関係を示した色度図のイメージ図である。色度図において、色度（ｘｒ，ｙｒ）、（ｘｇ，ｙｇ）、（ｘｂ，ｙｂ）の３点を結んだ三角形の内側が、表示手段１８０で表現できる表示色域である。ここで、色度（ｘ，ｙ）と、刺激値との関係は、以下の式（２）および（３）で表される。
【００６２】
【数２】
2016212664.tif 000004
【数３】
2016212664.tif 000005
【００６３】
したがって、式（２）および式（３）に（Ｘ，Ｙ，Ｚ）＝（Ｘｒ，Ｙｒ，Ｚｒ）、（Ｘｇ，Ｙｇ，Ｚｇ）、（Ｘｂ，Ｙｂ，Ｚｂ）を代入して得られる（ｘ，ｙ）がそれぞれ（ｘｒ，ｙｒ）、（ｘｇ，ｙｇ）、（ｘｂ，ｙｂ）に一致するように、変換式が定められる。
【００６４】
また、表示手段１８０に（Ｒ，Ｇ，Ｂ）＝（２５５，２５５，２５５）の画像を表示させ、分光測色計を用いて測定した輝度を、最大輝度として得ることができる。
【００６５】
さらに、γ値は以下の様に測定できる。まず、表示手段１８０に（Ｒ，Ｇ，Ｂ）が（１６，０，０），（３２，０，０），（４８，０，０）・・・（２５５，０，０），（０，１６，０），・・・（０，２５５，０），（０，０，１６），・・・（０，０，２５５）の画像を表示させ、分光測色計で階調ごとに輝度を測定する。そして、以下の式（４）を満たすγの値を最小二乗法により算出する。
【００６６】
【数４】
2016212664.tif 000006
【００６７】
上記の様に求めた最大輝度およびγ値をさらに反映させて、表示手段１８０の表示特性に適した式（１）の様な換算式を得ることができる。
【００６８】
表示手段１８０は、第１の実施形態と同様に表示データ生成手段１６０から取得した表示データに基づき、シミュレーション画像を表示する。
【００６９】
施工後の外観に近い色合いを再現性良く提示するためには、上述の様に、表示手段１８０に合わせて刺激値Ｘ、ＹおよびＺから、Ｒ、Ｇ、およびＢの値への変換を行う必要がある。ここで、不特定多数のユーザーがおのおの所有する任意のモニターを表示手段１８０として用いる場合には、各モニターに応じた変換式を準備し、適切に選択して用いる必要がある。一方、携帯端末装置のモニターを表示手段１８０として用い、当該表示手段１８０に合わせて変換を行うようにしておけば、必要な場所に携帯端末を持ち運び、常に再現性良く化粧板の外観イメージを表示して提示することができる。
【００７０】
なお、第２の実施形態に係る情報取得手段１２０は、物体情報と光源情報のうち、いずれか一方のみを取得し、他方についてはあらかじめ定められた条件を用いて表示データ生成手段１６０が表示データを生成しても良い。
【００７１】
なお、本実施形態では、表示手段１８０の表示色域、最大輝度、γ値に基づいて定められた変換式を用いる例について説明したが、表示手段１８０の表示色域、最大輝度、γ値のうち少なくとも一つに基づいて定められた変換式を用いても良い。
【００７２】
なお、本実施形態において表示データ生成手段１６０は、表示手段１８０の表示特性に基づいて定められた変換情報を用いずに、任意の表示データを生成しても良い。また、第１の実施形態において、表示データ生成手段１６０が、表示手段１８０の表示特性に基づいて定められた変換情報を用いて表示データを生成しても良い。
【００７３】
なお、情報取得手段１２０が取得する物体情報は、部屋の形状、物品の種類、位置を示す情報のうち、必ずしも全てを含まなくてもよい。情報取得手段１２０が取得する物体情報は、部屋の形状、物品の種類、位置を示す情報のうち少なくとも一つを含み、その他の情報については解析部１６２が記憶手段２００からあらかじめ定められた情報を読み出して取得するようにしてもよい。また、情報取得手段１２０が取得する光源情報は、光源の種類および位置を示す情報の両方を必ずしも含まなくてもよい。情報取得手段１２０が取得する光源情報は、種類および位置を示す情報報のうち少なくとも一方を含み、他方の情報については解析部１６２が記憶手段２００からあらかじめ定められた情報を読み出して取得するようにしてもよい。
【００７４】
次に、本実施形態の作用および効果について説明する。本実施形態においては第１の実施形態と同様の作用および効果が得られる。加えて、以下の作用および効果が得られる。
【００７５】
本実施形態によれば、情報取得手段１２０が物体情報や光源情報を取得し、それに基づいてシミュレーション画像が表示されることで、一義的な空間デザインでなく、様々なバリエーションのシーンにおける化粧板の外観イメージを表示することができる。また、実際に化粧板を用いようとする空間に合わせて、ユーザーがシーンを設計できる。
【００７６】
また、表示手段１８０の表示特性に合わせて刺激値Ｘ、ＹおよびＺから、Ｒ、Ｇ、およびＢの値への変換を行うことで、施工後の外観に近い色合いを再現性良く表示することができる。
【００７７】
（第３の実施形態）
第３の実施形態に係る選択支援装置１０および選択支援方法は、以下に説明する点を除き、第１の実施形態に係る選択支援装置１０および選択支援方法と同じである。
【００７８】
本実施形態に係る表示データ生成手段１６０では、互いに異なる視点から見た複数のシミュレーション画像の表示データを生成する。
【００７９】
また、本実施形態に係る表示データ生成手段１６０は、シミュレーション画像として三次元画像を表示手段１８０に表示させるための表示データを生成する。以下に詳細を説明する。
【００８０】
本実施形態に係る解析部１６２は、１つのシーンについて、複数の視点から見た各画像を構成する刺激値を算出する。そして、ＲＧＢデータ生成部１６４は、解析部１６２で算出された刺激値に基づいて、それらの画像を表示手段１８０に表示するための、表示データを生成する。そして、表示手段１８０が互いに異なる視点から見た複数のシミュレーション画像を同時に、または順に表示する。そうすることで、複数の視点からの外観イメージを比較する事ができ、化粧板の選択がより容易になる。
【００８１】
本実施形態に係る解析部１６２は、さらに、１つのシーンについて、三次元のシミュレーション画像を構成する刺激値を算出できる。そして、ＲＧＢデータ生成部１６４は、解析部１６２で算出された刺激値に基づいて、三次元画像を表示手段１８０に表示するための、表示データを生成する。そして、表示手段１８０が三次元のシミュレーション画像を表示する。その際には、たとえば、自動で、またはユーザーの操作に応じて三次元画像における視点が移動するようにしても良い。そうすることで、より施工後の外観イメージを把握しやすくなり、化粧板の選択をより容易にすることができる。
【００８２】
本実施形態において、たとえば、化粧板の種類やシーンに配置される物品等の少なくとも１つが互いに異なる複数のシーンについて、それぞれ複数の視点の画像の表示データが生成されてもよい。そして、それら複数のシーンのシミュレーション画像が合わせて表示手段１８０に表示されてもよい。その際には、たとえば、自動でまたはユーザーの操作に応じて、視点が全てのシーンについて連動して変更されるようにしても良い。空間デザインの異なる画像を並べて比較することで、化粧板の選択をより容易にすることができる。
【００８３】
また、本実施形態において、たとえば、互いに異なる複数のシーンについて、それぞれ三次元画像の表示データが生成され、それら複数のシーンのシミュレーション画像が合わせて表示手段１８０に表示されてもよい。その際には、たとえば、自動でまたはユーザーの操作に応じて、複数の三次元画像における視点が連動して移動したりするようにしても良い。空間デザインの異なる画像を並べて比較することで、化粧板の選択をより容易にすることができる。
【００８４】
なお、本実施形態では、第１の実施形態の構成において、複数のシミュレーション画像や三次元画像を表示する例について説明したが、第２の実施形態の構成において複数のシミュレーション画像や三次元画像を表示してもよい。
【００８５】
次に、本実施形態の作用および効果について説明する。本実施形態においては第１の実施形態と同様の作用および効果が得られる。加えて、以下の作用および効果が得られる。
【００８６】
本実施形態によれば、複数の視点からのシミュレーション画像を表示することで、より施工後の外観イメージを把握しやすくなり、化粧板の選択をより容易にすることができる。
【００８７】
以上、図面を参照して本発明の実施形態について述べたが、これらは本発明の例示であり、上記以外の様々な構成を採用することもできる。
【符号の説明】
【００８８】
１０ 選択支援装置
１２０ 情報取得手段
１４０ 反射率分布算出手段
１６０ 表示データ生成手段
１６２ 解析部
１６４ ＲＧＢデータ生成部
１８０ 表示手段
２００ 記憶手段
【図１】
2016212664.tif 000007
【図２】
2016212664.tif 000008
【図３】
2016212664.tif 000009
【図４】
2016212664.tif 000010
【図５】
2016212664.tif 000011